(57)【要約】  玩具建造要素を取り外し可能に相互接続するための連結手段を有する玩具建造要素を有し、長手方向を有する外側玩具建造要素と長手方向を有する内側玩具建造要素とをさらに有する、玩具建造セット。内側玩具建造要素は、外側玩具建造要素内に収容可能であり、且つ外側玩具建造要素の平行な長手方向に沿って当該外側玩具建造要素内で摺動可能である。外側玩具建造要素は当該外側玩具建造要素の長手方向に相互接続して複合外側玩具建造要素を形成することができ、内側玩具建造要素は当該内側玩具建造要素の長手方向に相互接続して、複合外側玩具建造要素内に摺動可能に収容することができる複合内側玩具建造要素を形成することができる。【選択図】  図３
2008529614.tif 000002
【特許請求の範囲】
【請求項１】
玩具建造要素を取り外し可能に相互接続する連結手段を有する玩具建造要素を有する玩具建造セットであって、
長手方向を有する外側玩具建造要素と長手方向を有する内側玩具建造要素とをさらに有し、該内側玩具建造要素は、該内側玩具建造要素の該長手方向が前記外側玩具建造要素の前記長手方向と平行な状態で該外側玩具建造要素内に収容可能であり、且つ該外側玩具建造要素の平行な長手方向に沿って該外側玩具建造要素内で摺動可能であり、
前記外側玩具建造要素は該外側玩具建造要素の長手方向に相互接続されて複合外側玩具建造要素を形成することができ、前記内側玩具建造要素は該内側玩具建造要素の長手方向に相互接続されて、前記複合外側玩具建造要素内で摺動可能に収容されることができる複合内側玩具建造要素を形成することができる、玩具建造セット。
【請求項２】
前記外側玩具建造要素は、該長手方向に対して横断方向に延びるフランジを該外側玩具建造要素の長手方向の対向する両端部に有し、該フランジは前記外側玩具建造要素を取り外し可能に相互接続する連結手段を有する、請求項１に記載の玩具建造セット。
【請求項３】
前記フランジの前記連結手段は長手方向に延びる開口を有し、これにより、２つの隣接する前記外側玩具建造要素の整合された該長手方向に延びる開口にスナップ嵌めするための手段を有するペグを受け入れる、請求項２に記載の玩具建造セット。
【請求項４】
該玩具建造要素を取り外し可能に相互接続するための前記連結手段は、連結スタッド及び該連結スタッドを収容する連結キャビティを有し、前記外側玩具建造要素は該連結スタッド及び該連結キャビティを有する、請求項１に記載の玩具建造セット。
【請求項５】
該玩具建造要素を取り外し可能に相互接続するための前記連結手段は、連結スタッド及び該連結スタッドを収容する連結キャビティを有し、前記内側玩具建造要素は該連結スタッド及び該連結キャビティを有する、請求項１に記載の玩具建造セット。
【請求項６】
前記外側玩具建造要素は、前記内側玩具建造要素が内部に収容される際に該内側玩具建造要素と摩擦係合する手段を有する、請求項５に記載の玩具建造セット。
【請求項７】
前記内側玩具建造要素と摩擦係合する前記手段は、該内側玩具建造要素の連結スタッドと係合する長手方向に延びる壁を有する、請求項６に記載の玩具建造セット。
【請求項８】
前記外側玩具建造要素は並んで配置される２つ以上の前記内側玩具建造要素を収容することができる、請求項１ないし７のいずれか１項に記載の玩具建造セット。
【発明の詳細な説明】
【技術分野】
【０００１】
［発明の背景］
本発明は、玩具建造要素を取り外し可能に相互接続するための連結手段を有する玩具建造要素を有する玩具建造セットに関する。このような玩具建造セットは既存であり、当該玩具建造セットの建造要素から非常にさまざまな構造物を作り出すことができる。全く特殊性がないか又はほとんど特殊性がない一般的な建造要素が、それに対応したあまり特殊性のない一般的な構造物を建造するのに適している。特殊性のある建造要素は、建物の窓及びドア、又は乗り物若しくは他の機械の構成要素等の現実世界の物体に似せるか又はこれらを擬態することが意図される。このような特殊性のある建造要素により、より遊ぶ価値のある、よりリアルで実物に近い構造物を建造することが可能になる。
【背景技術】
【０００２】
たとえば、一定の範囲間を伸長可能であるクレーンアームを擬態するおもちゃの車で使用するための、特殊性のある伸縮式の要素が存在する。このような特殊性のある要素は限られた数の模型を建造する場合にしか有用ではない。
【発明の開示】
【発明が解決しようとする課題】
【０００３】
本発明の目的は、さまざまな目的のために使用することができ、且つ種々のサイズのさまざまな模型を建造するのに使用することができるようにモジュール式であると共に用途が広い、新たな伸縮式の玩具建造要素を提供することである。
【課題を解決するための手段】
【０００４】
［発明の概要］
本発明は、玩具建造要素を取り外し可能に相互接続するための連結手段を有する玩具建造要素を有する玩具建造セットであって、長手方向を有する外側玩具建造要素と長手方向を有する内側玩具建造要素とをさらに有し、内側玩具建造要素は、外側玩具建造要素内に収容されることができ、且つ当該外側玩具建造要素の平行な長手方向に沿って外側玩具建造要素内で摺動可能であり、外側玩具建造要素は当該外側玩具建造要素の長手方向に相互接続されて複合外側玩具建造要素を形成することができ、内側玩具建造要素は当該内側玩具建造要素の長手方向に相互接続されて、複合外側玩具建造要素内に摺動可能に収容されることができる複合内側玩具建造要素を形成することができる、玩具建造セットを提供することによって上記問題を解決する。
【０００５】
このような玩具建造セットを用いて、ユーザは、任意の所望の長さの内側玩具建造要素及び外側玩具建造要素から成る伸縮式の複合建造要素を建造することができる。
【０００６】
ユーザは、複合内側玩具建造要素が複合外側玩具建造要素内に完全に収容されることができるように、また、それら複合要素のどちらか一方の長さのほぼ２倍になるように入れ子状にすることができるように、等しい長さの複合内側玩具建造要素及び複合外側玩具建造要素を建造することを選択することができる。
【０００７】
或いは、ユーザは異なる長さの複合内側玩具建造要素及び複合外側玩具建造要素を建造することを選択することができる。たとえば、複合外側玩具建造要素よりも長い複合内側玩具建造要素を用いて、内側玩具建造要素をその両端において支持し、外側玩具建造要素は内側玩具建造要素上を摺動することができる。
【発明を実施するための最良の形態】
【０００８】
［発明の詳細な説明］
図１には、従来技術の玩具建造要素１０の上面図及び底面図が示されている。玩具建造要素１０は、連結スタッド１１、及び摩擦係合で別の建造要素の連結スタッドを収容するキャビティ１２を有する。このような玩具建造要素は米国特許第３００５２８２号に開示されている。図２には、同様に連結スタッド１１及びその反対側に開いているキャビティ（図示せず）を有する従来技術の別の玩具建造要素１３が示されている。
【０００９】
図３には、上面に連結スタッド１１を有する外側玩具建造要素２０が示されている。上壁から垂下する２つの平行な側壁２１が当該要素の長手方向に延び、２つの対向する両端部は開いている。外側玩具建造要素２０はその各端部及び両側部に、開口２３を有する側方に延びるフランジ２２を有する。端部同士をそろえて配置した２つ以上の整合した外側玩具建造要素２０は、２つの外側玩具建造要素の隣接するフランジ２２において整合された開口２３にスナップ嵌めされるペグ(peg)によって（図示はしないがそれ自体既知である）相互接続される。
【００１０】
図３はまた、図１及び図２に示すタイプの玩具建造要素から成る複合内側玩具建造要素３０を示し、図５は別のそのような複合内側玩具建造要素３１を示す。複合内側玩具建造要素３０及び３１は、図３に示され且つ図４に図示されるように外側玩具建造要素２０内に収容されることができる。
【００１１】
図６は、内部に複合内側玩具建造要素３１を収容した２つの外側玩具建造要素２０を示す。２つの外側玩具建造要素２０は少し離間して示され、矢印で示されるようにそれらのフランジ２２を当接させて複合外側玩具建造要素を形成するための組み立て準備ができており、そして、整合された開口２３の各々にペグ(peg)がスナップ嵌めされて外側玩具建造要素が互いに保持される。
【００１２】
外側玩具建造要素２０を組み立てるためにペグを収容する孔を有するフランジを使用する代わりに、高さを低くした図１に示すような建造要素を隣接する外側要素の頂部上に用いて、それら２つの外側要素の連結スタッド１１を連結することができる。外側玩具建造要素２０はまた、図１のキャビティ１２のような連結キャビティも有し、それにより下にある建造要素の連結スタッド１１を受け入れることができる。よって、外側玩具建造要素２０は図５の建造要素と同様の方法で相互接続される。
【００１３】
図４は、外側玩具建造要素２０の上壁から垂下する２つの壁２４を示す。壁２４は複合内側玩具建造要素３１の連結スタッド１１に摩擦係合するように接触し、これにより、複合内側玩具建造要素３１が垂直位置に保持される場合に重力により外側玩具建造要素２０から滑り出ることが防止される。
【００１４】
複合内側玩具建造要素３０及び３１は、長手方向の２列の連結スタッド１１を有する。図２の玩具建造要素１３は１列の連結スタッド１１を有し、このような建造要素は複合内側玩具建造要素３０の幅の半分のみの幅を有する複合内側玩具建造要素を建造するために使用することもできる。次に、外側玩具建造要素２０は、２つ以上のそのような幅が半分の複合内側玩具建造要素を収容することができ、その場合、これらは外側建造要素内で独立して動くことができ、場合によっては外側要素の両端から延出させることができる。
【図面の簡単な説明】
【００１５】
【図１】従来技術の玩具建造要素を示す斜視図である。
【図２】従来技術の玩具建造要素を示す斜視図である。
【図３】外側玩具建造要素及び内側玩具建造要素を示す斜視図である。
【図４】外側玩具建造要素に収容された内側玩具建造要素を示す端面図である。
【図５】複合内側玩具建造要素の側面図である。
【図６】複合外側玩具建造要素に収容された複合内側玩具建造要素の側面図である。
【図１】
2008529614.tif 000003
【図２】
2008529614.tif 000004
【図３】
2008529614.tif 000005
【図４】
2008529614.tif 000006
【図５】
2008529614.tif 000007
【図６】
2008529614.tif 000008
【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
玩具建造要素を取り外し可能に相互接続する連結手段を有する玩具建造要素を有する玩具建造セットであって、
長手方向を有する外側玩具建造要素（２０）と長手方向を有する内側玩具建造要素（３０）とをさらに有し、該内側玩具建造要素は、該内側玩具建造要素の該長手方向が前記外側玩具建造要素の前記長手方向と平行な状態で該外側玩具建造要素内に収容可能であり、且つ該外側玩具建造要素の平行な長手方向に沿って該外側玩具建造要素内で摺動可能であり、
前記外側玩具建造要素は該外側玩具建造要素の長手方向に相互接続されて複合外側玩具建造要素を形成することができ、前記内側玩具建造要素は該内側玩具建造要素の長手方向に相互接続されて、該建造要素の相互接続から成る複合内側玩具建造要素を形成することができ、前記外側玩具建造要素（２０）は、該長手方向に対して横断方向に延びるフランジ（２２）を該外側玩具建造要素の長手方向の対向する両端部に有し、該フランジは前記外側玩具建造要素（２０）を取り外し可能に相互接続する連結手段（２３）を有することを特徴とする玩具建造セット。
【請求項２】
前記フランジの前記連結手段は長手方向に延びる開口（２３）を有し、これにより、２つの隣接する前記外側玩具建造要素（２０）の整合された該長手方向に延びる開口にスナップ嵌めするための手段を有するペグが収容されることを特徴とする請求項１に記載の玩具建造セット。
【請求項３】
該玩具建造要素を取り外し可能に相互接続するための前記連結手段は、連結スタッド（１１）及び該連結スタッドを収容する連結キャビティ（１２）を有し、前記外側玩具建造要素は該連結スタッド及び該連結キャビティを有することを特徴とする請求項１に記載の玩具建造セット。
【請求項４】
該玩具建造要素を取り外し可能に相互接続するための前記連結手段は、連結スタッド（１１）及び該連結スタッドを収容する連結キャビティ（１２）を有し、前記内側玩具建造要素は該連結スタッド及び該連結キャビティを有することを特徴とする請求項１に記載の玩具建造セット。
【請求項５】
前記外側玩具建造要素は、前記内側玩具建造要素が内部に収容される際に該内側玩具建造要素と摩擦係合する手段（２４）を有することを特徴とする請求項４に記載の玩具建造セット。
【請求項６】
前記内側玩具建造要素と摩擦係合する前記手段（２４）は、該内側玩具建造要素の連結スタッド（１１）と係合する長手方向に延びる壁（２４）を有することを特徴とする請求項６に記載の玩具建造セット。
【請求項７】
前記外側玩具建造要素（２０）は並んで配置される２つ以上の前記内側玩具建造要素（３０）を収容することができることを特徴とする請求項１ないし６のいずれか１項に記載の玩具建造セット。
【国際調査報告】
2008529614.tif 000009
2008529614.tif 000010